(57)【特許請求の範囲】
【請求項１】
容器口に打栓嵌合するための略円筒状のキャップ体であって、
該キャップ体は、胴部を縦に切り裂くために該胴部の一部に設けた弱化線と、前記弱化線に沿った位置の前記胴部から一体に延び、かつ前記弱化線を跨ぐように前記胴部の外周壁と間隙をおいて延設された舌片状の保護部分とを備え、
前記保護部分の上縁は前記胴部上面に切断容易な薄い壁によって連続して接続され、該薄い壁は前記弱化線の上部を塞いでおり、
前記弱化線は、周方向に沿う幅広部分と、該幅広部分の上部から上方から突出した幅狭部分とからなり、前記保護部分の基部が位置する側に、前記幅広部分と前記幅狭部分との段差が形成されて、
しかも、前記幅広部分の範囲において、前記胴部の周壁が開口されており、前記胴部の内周壁には前記容器口の外周面に接するシール部が全周に渉って配置されていることを特徴とする容器から分離可能なキャップ体。
【発明の詳細な説明】
【０００１】
【発明の属する技術分野】
本発明は、分別回収・廃棄をするときに容器と容器口に嵌合したキャップ体とを容易に分離できるように、キャップ体の一部を破断可能に形成したキャップ体の改良に係るものである。
【０００２】
【従来の技術】
廃棄物を分別回収するようになって以来、容器と容器口に嵌合したキャップ体とを容易に分離できるように、キャップ体の一部に破断しやすい部分を形成した発明が種々提案されている。
例えば、特開２００１−４８２１３号公報に記載した発明「胴部破断可能なキャップ体」においては、キャップ体の胴部に縦方向のスリット又は弱化部分を形成するために、上下方向から金型のピンを挿入するので、胴部上面(肩部)に開口を形成することになる。胴部上面に開口が有ると、容器中の食品等を使用する間に、油、ごみなどが侵入し又は溜まり、衛生上不都合が生ずるなどの問題があった。
【０００３】
また、この弱化部分の付近の部位はこれを保護する部分を形成する必要があり、これを形成するには金型部分を薄く作ることが必要であり、その部分を形成する金型に破損、クラック、変形などが発生し、不良製品の発生の原因ともなっていた。
【０００４】
【発明が解決しようとする課題】
本発明は、弱化部分の周辺を形成する金型部分に破損等が生じないようにすると共に一方向からの金型挿入によって、弱化線部分の周辺を形成し、胴部上面(肩部)に開口を形成しない様にすると共に容器と接触して形成するシール性も確保し、従来の問題点を改良しようとするものである。
【０００５】
【課題を解決するための手段】
上記課題を解決するために、請求項１の発明は、容器口に打栓嵌合するための略円筒状のキャップ体であって、該キャップ体は、胴部を縦に切り裂くために該胴部の一部に設けた弱化線と、前記弱化線に沿った位置の前記胴部から一体に延び、かつ前記弱化線を跨ぐように前記胴部の外周壁と間隙をおいて延設された舌片状の保護部分とを備え、前記保護部分の上縁は前記胴部上面に切断容易な薄い壁によって連続して接続され、該薄い壁は前記弱化線の上部を塞いでおり、前記弱化線は、周方向に沿う幅広部分と、該幅広部分の上部から上方から突出した幅狭部分とからなり、前記保護部分の基部が位置する側に、前記幅広部分と前記幅狭部分との段差が形成されて、しかも、前記幅広部分の範囲において、前記胴部の周壁が開口されており、前記胴部の内周壁には前記容器口の外周面に接するシール部が全周に渉って配置されていることを特徴とするものである。
【０００６】
【発明の実施の形態】
１は、容器口に打栓嵌合するための略円筒状の、全体を合成樹脂によって形成されたキャップ体である。キャップ体１にはヒンジ２を介してキャップ３を連接してもよいが、別体のキャップを被冠させるようにしても良い。
【０００７】
キャップ体１の胴部４には、胴部４を縦に切り裂くために胴部４の一部に設けた弱化線５と、弱化線５に沿った位置で胴部４から一体に延び、かつ弱化線５を跨ぐように胴部４の外周壁と間隙をおいて延設された舌片状の保護部分６とが形成されている。保護部分６は胴部４の外周を取り囲んでおり、保護部分６の上縁は胴部４上面に切断容易な薄い壁７によって連続して接続されている。また、薄い壁７は弱化線５の上部も塞いでいる。
【０００８】
弱化線５は、縦方向に延びており、周方向に沿う幅広部分５Ａと、該幅広部分５Ａの上部から上方に突出した幅狭部分５Ｂとを備えており、幅広部分５Ａと幅狭部分５ｂとの段差（傾斜面５Ｃ）が形成されている。ここで弱化線５とは、胴部４の肉部を削いで設けた胴部４の周壁面８（図５及び図６に示す幅狭部分５Ｂの範囲の周壁面８）と、その背後に位置する空間部（図５及び図６に示す幅広部分５Ａ及び幅狭部分５Ｂの空間部）とで構成される。また、弱化線５の周方向で保護部分６の基部６Ａが位置する側(図６において右側)に、図６に示されるように、段差（傾斜面５Ｃ）が形成され、対向する側(図６において左側)は直線面が形成されている。
【０００９】
また、弱化線５の下部範囲、すなわち、幅広部分５Ａの範囲では、図５に示すように、胴部４の周壁が開口５Ｄしている。開口５Ｄの上方で弱化線５の幅狭部分５Ｂの範囲には、上述しているように、嵌合する容器口の外周面が密接する周壁面８が形成され、この周壁面８を含む胴部４の内周壁には容器口の外周面とのシール性を高めるために、水平方向に延びる連続した環状のシール部８Ａ(断面形状が半円形の突起)が凸設されている。
【００１０】
舌片状の保護部分６は、基端部は弱化線５の形成された位置(図２のＡ部)にあり、先端部は基端部から反時計方向に略１２５度の位置(図２のＢ部)で終わっている。実際には、打栓装置にて打栓するのにキャップ体１が装置内で円滑に流れるように、その外周に凹凸がないように、凹部を埋める余分な弧状部分９を付加して構成するので、全体は略円筒状体になっている。
保護部分６の先端部は、図７に示すように、弧状部分９の端面に対峙し、両者は上半部分を破断容易な薄い壁１０によって連結され、この薄い壁１０は胴部４と舌片状の保護部分６を連結している破断容易な薄い壁７に連続している。
【００１１】
上記円筒状の胴部４と舌片状の保護部分６との間には、一端に弱化線５を備えた、極めて間隔の狭い間隙１１が形成されることになるが、この間隙１１は、図９に示すような、湾曲した帯び状の金型１２による、縦方向のストロークにより形成することができる。
【００１２】
金型１２の一端部は、弱化線５を形成するための、適宜の厚さと段差部を持った第１の柱状部１２Ａを備え、他端部には保護部分６の先端部を形成する第２の柱状部１２Ｂを備えている。勿論、この金型１２は他のキャップ体１の外郭を形成する周知の金型(図示を省略する)に組み合わせることにより利用される。図９において、１３は、弧状部分９に隙間を形成する場合使用する金型である。
【００１３】
他の金型に金型１２を組み付けて用いて成形した場合、図１〜図８に示すようなキャップ体１が成形される。金型１２は、金型の操作中において、第１の柱状部１２Ａを備えているので、薄い帯状部分を保護することに役立つ。
【００１４】
また、作成されたキャップ体１は、薄い壁７の位置するところはキャップの接するところであるが、凹凸が形成されることなく成形され、胴部４と筒状内壁１５との間の環状空間１６に容器口(瓶口)を嵌合して用いられる。
【００１５】
回収時には、キャップ体１の保護部分６の先端部分を図２のＢ部にて引き起こし、図２において、該保護部分６を時計方向に引っ張ることによって、保護部分６と胴部４とを接続している薄い壁７を破断し、次に、弱化線５の上部を塞ぐ薄い壁７を破断した後、保護部分６を弱化線５に沿って縦方向に引っ張ると、弱化線５を構成する幅狭部分５Ｂの空間と、段差（傾斜面５Ｃ）を含む壁面（図６の幅狭部分５Ｂの空間に面する図視右側の壁面）との境目に沿って周壁面８が破断されることで胴部４が縦に引き裂かれ、その引き裂いた隙間から容器口を露出し、キャップ体１を容器口から分離しやすくする。
このように、弱化線５は、幅広部分５Ｃと、該幅広部分５Ｃの上部から上方に突出した幅狭部分５Ｂとを備え、保護部分６の基部６Ａが位置する側(図６において右側)に、幅狭部分５Ｂと幅広部分５Ｃとの段差（傾斜面５Ｃ）が形成されており、保護部分６を弱化線５に沿って縦方向に引っ張ると、この段差に力の集中がはかられ、容易に周壁部８を破断でき、胴部４を縦に切り裂くことが可能になる。
さらに、弱化線５は、幅広部分５Ｃと、該幅広部分５Ｃの上部から上方に突出した幅狭部分５Ｂとを備えているので、間隙１１、弱化線５及び該弱化線５の上部を塞ぐ薄い壁７を、湾曲した帯状の金型１２による縦方向のストロークにより形成することができ、しかも、金型１２には、弱化線５を形成すべく段差を持った第１の柱状部１２Ａが備えられているために、金型１２の破損、クラックなどの発生を防止することができる。
【００１６】
【発明の効果】
本発明は、上記の構成 からなるものであるから、弱化線及びその周辺を成形する金型は柱状部を備えるため、破損、クラックなどの発生を防止することができ、また、薄い壁７の位置する面は凹凸がないので油ごみのたまるのを防止し、また、弱化線はその一側に段差を有する壁面を備えるので破断のときに力の集中がはかられ、この部位の切断を容易にすることができる。
【図面の簡単な説明】
【図１】  本発明を適用したキャップ付のキャップ体の平面図である。
【図２】  同上のキャップ体の底面図である。
【図３】  図１のIII−III線に沿う断面図である。
【図４】  図２に示すＡ部の拡大底面図である。
【図５】  図４におけるV−V線に沿う断面図である。
【図６】  図５におけるVI−VI線に沿う断面図である。
【図７】  図２に示すＢ部の拡大底面図である。
【図８】  図７におけるVIII−VIII線に沿う断面図である。
【図９】  本発明のキャップ体を成形するために用いる一部の金型の斜視図である。
【符号の説明】
１  キャップ体，４  胴部，５  弱化線，６  保護部分，７  薄い壁，８  周壁面，８Ａ  シール部，１０  薄い壁，１２  金型，１２Ａ  第１の柱状部
【図１】
0004196253.tif 000002
【図２】
0004196253.tif 000003
【図３】
0004196253.tif 000004
【図４】
0004196253.tif 000005
【図５】
0004196253.tif 000006
【図６】
0004196253.tif 000007
【図７】
0004196253.tif 000008
【図８】
0004196253.tif 000009
【図９】
0004196253.tif 000010